【手続補正書】
【提出日】平成27年6月19日(2015.6.19)
【手続補正１】
【補正対象書類名】特許請求の範囲
【補正対象項目名】全文
【補正方法】変更
【補正の内容】
【特許請求の範囲】
【請求項１】
回転シャフトに入力される機械的エネルギーによって駆動されるように構成された可変容量型の油圧ポンプと、
前記油圧ポンプからの圧油によって駆動されるように構成された可変容量型の油圧モータと、を備え、
前記油圧ポンプは、該油圧ポンプの押しのけ容積ＤＰの最小値ＤＰｍｉｎ以上であって、前記油圧ポンプの押しのけ容積ＤＰの最大値ＤＰｍａｘ以下である範囲内においてのみ部分的に押しのけ容積が可変であり、
前記油圧モータは、該油圧モータの押しのけ容積ＤＭの最小値ＤＭｍｉｎ以上であって、前記油圧モータの押しのけ容積ＤＭの最大値ＤＭｍａｘ以下である範囲内にて押しのけ容積が可変であり、
前記油圧ポンプの押しのけ容積の可変範囲の下限値であるＤＰｍｉｎはゼロより大きく、
前記油圧モータの押しのけ容積の可変範囲の下限値であるＤＭｍｉｎはゼロであることを特徴とする油圧トランスミッション。
【請求項２】
前記油圧ポンプの吐出口と前記油圧モータの吸入口との間に設けられ、前記圧油を前記油圧ポンプから前記油圧モータに導くための高圧油ラインと、
前記油圧モータの吐出口と前記油圧ポンプの吸入口との間に設けられ、前記圧油よりも圧力が低い作動油を前記油圧モータから前記油圧ポンプに導くための低圧油ラインと、
前記高圧油ラインと前記低圧油ラインとを接続するバイパスラインと、
前記バイパスラインに設けられるバイパス弁と、
前記高圧油ラインにおける前記圧油の圧力を調節するために前記バイパス弁を制御するように構成されたバイパス弁制御部と、をさらに備え、
前記バイパス弁制御部は、少なくとも、前記押しのけ容積ＤＰの最小値ＤＰｍｉｎと前記バイパス弁の全閉時における前記高圧油ラインの圧力最小値とにより定まる前記油圧ポンプの閾値トルクＴｔｈ未満の範囲において、前記油圧ポンプの回転数と前記油圧ポンプのトルクとの規定の相関関係に従って、前記油圧ポンプの回転数に応じた目標値に前記油圧ポンプのトルクを調節するために、前記高圧油ラインの前記圧油の圧力を制御するように構成されたことを特徴とする請求項１に記載の油圧トランスミッション。
【請求項３】
前記油圧ポンプを制御し、前記油圧ポンプの押しのけ容積ＤＰを調節するように構成されたポンプ制御部をさらに備え、
前記ポンプ制御部は、前記閾値トルクＴｔｈ以上の範囲において、前記油圧ポンプの回転数と前記油圧ポンプのトルクとの規定の相関関係に従って、前記油圧ポンプの回転数に応じた目標値に前記油圧ポンプのトルクを調節するために、前記油圧ポンプの押しのけ容積ＤＰをＤＰｍｉｎ以上ＤＰｍａｘ以下の前記範囲内にて調節するように構成されたことを特徴とする請求項２に記載の油圧トランスミッション。
【請求項４】
前記油圧ポンプは、
複数のピストンと、
前記複数のピストンを往復運動可能にそれぞれ案内するように構成され、前記複数のピストンとともに複数の作動室を形成する複数のシリンダと、
前記複数の作動室のうち第１グループに属する少なくとも一つの第１作動室について設けられる少なくとも一組の第１高圧弁及び第１低圧弁と、
前記複数の作動室のうち前記第１グループとは異なる第２グループに属する少なくとも一つの第２作動室について設けられる少なくとも一組の第２高圧弁及び第２低圧弁と、を含み、
前記第１高圧弁及び前記第１低圧弁の少なくとも一方は、押しのけ容積が存在するアクティブ状態と押しのけ容積が存在しないノンアクティブ状態との間で前記少なくとも一つの第１作動室の状態を切り替えるように構成された能動的に開閉制御可能なバルブであり、
前記第２高圧弁及び前記第２低圧弁は、前記少なくとも一つの第２作動室の状態を押しのけ容積が存在するアクティブ状態に固定するように構成された受動的に開閉可能なバルブであり、
前記油圧ポンプの容量可変範囲の最小値であるＤＰｍｉｎは、前記第２作動室の個数及び容積に応じて定まることを特徴とする請求項１乃至３の何れか一項に記載の油圧トランスミッション。
【請求項５】
前記油圧ポンプの押しのけ容積ＤＰの最小値ＤＰｍｉｎは、０．２５ＤＰｍａｘ以上０．７５ＤＰｍａｘ以下であることを特徴とする請求項１乃至４の何れか一項に記載の油圧トランスミッション。
【請求項６】
前記油圧ポンプの吐出口と前記油圧モータの吸入口との間に設けられ、前記圧油を前記油圧ポンプから前記油圧モータに導くための高圧油ラインと、
前記油圧モータの吐出口と前記油圧ポンプの吸入口との間に設けられ、前記圧油よりも圧力が低い作動油を前記油圧モータから前記油圧ポンプに導くための低圧油ラインと、
前記高圧油ラインと前記低圧油ラインとを接続するバイパスラインと、
前記バイパスラインに設けられ、前記高圧油ラインから前記低圧油ラインへと向かう前記バイパスラインにおける前記圧油の流れを制御するためのバイパス弁と、
前記高圧油ラインにおける前記圧油の圧力を調節するために前記バイパス弁を制御するように構成されたバイパス弁制御部と、をさらに備え、
前記バイパス弁制御部は、前記油圧トランスミッションの起動時において、少なくとも前記油圧ポンプを停止状態から回転を開始させるとき、前記バイパス弁を全開に制御するように構成されたことを特徴とする請求項１乃至５の何れか一項に記載の油圧トランスミッション。
【請求項７】
前記バイパス制御弁は、前記油圧トランスミッションの起動時において、前記油圧ポンプの回転が開始された後、前記油圧モータを停止状態から回転を開始させるために必要な初期トルクが得られるような前記高圧油ラインの圧力に達するように、前記バイパス弁を制御することを特徴とする請求項６に記載の油圧トランスミッション。
【請求項８】
少なくとも一本のブレードと、
前記少なくとも一本のブレードで受けた再生可能エネルギーによって回転するように構成された回転シャフトと、
前記回転シャフトによって駆動されるように構成された可変容量型の油圧ポンプと、
前記油圧ポンプからの圧油によって駆動されるように構成された可変容量型の油圧モータと、
前記油圧モータによって駆動されるように構成された発電機と、を備える再生エネルギー型発電装置であって、
前記油圧ポンプは、該油圧ポンプの押しのけ容積ＤＰの最小値ＤＰｍｉｎ以上であって、前記油圧ポンプの押しのけ容積ＤＰの最大値ＤＰｍａｘ以下である範囲内においてのみ部分的に押しのけ容積が可変であり、
前記油圧モータは、該油圧モータの押しのけ容積ＤＭの最小値ＤＭｍｉｎ以上であって、前記油圧モータの押しのけ容積ＤＭの最大値ＤＭｍａｘ以下である範囲内にて押しのけ容積が可変であり、
前記油圧ポンプの押しのけ容積の可変範囲の下限値であるＤＰｍｉｎはゼロより大きく、
前記油圧モータの押しのけ容積の可変範囲の下限値であるＤＭｍｉｎはゼロであることを特徴とする再生エネルギー型発電装置。
【請求項９】
前記少なくとも一本のブレードが再生エネルギー源としての風から受け取った風力エネルギーを利用して前記発電機にて電力を生成する風力発電装置であることを特徴とする請求項８に記載の再生エネルギー型発電装置。
【請求項１０】
第１可変範囲内にて押しのけ容積ＤＰが調節可能であり、回転シャフトに入力される機械的エネルギーによって駆動される可変容量型の油圧ポンプと、第２可変範囲内にて押しのけ容積ＤＭが調節可能であり、前記油圧ポンプからの圧油によって駆動される可変容量型の油圧モータと、前記油圧ポンプの吐出口と前記油圧モータの吸入口との間に設けられる高圧油ラインと、前記油圧モータの吐出口と前記油圧ポンプの吸入口との間に設けられる低圧油ラインと、前記高圧油ラインと前記低圧油ラインとを接続するバイパスラインと、前記バイパスラインに設けられるバイパス弁と、を備える油圧トランスミッションの運転方法であって、
前記第１可変範囲は、前記油圧ポンプの押しのけ容積ＤＰの最小値ＤＰｍｉｎ以上であって、前記油圧ポンプの押しのけ容積ＤＰの最大値ＤＰｍａｘ以下の範囲であり、前記第１可変範囲の下限値であるＤＰｍｉｎはゼロより大きく、
前記第２可変範囲は、前記油圧モータの押しのけ容積ＤＭの最小値ＤＭｍｉｎ以上であって、前記油圧モータの押しのけ容積ＤＭの最大値ＤＭｍａｘ以下の範囲であり、前記第２可変範囲の下限値であるＤＭｍｉｎはゼロであり、
少なくとも、前記押しのけ容積ＤＰの最小値ＤＰｍｉｎと前記バイパス弁の全閉時における前記高圧油ラインの圧力最小値とにより定まる前記油圧ポンプの閾値トルクＴｔｈ未満の範囲において、前記油圧ポンプの回転数と前記油圧ポンプのトルクとの規定の相関関係に従って、前記油圧ポンプの回転数に応じた目標値に前記油圧ポンプのトルクを調節するために、前記高圧油ラインの前記圧油の圧力を制御するステップを備えることを特徴とする油圧トランスミッションの運転方法。
【請求項１１】
少なくとも一本のブレードと、前記少なくとも一本のブレードで受けた再生可能エネルギーによって回転する回転シャフトと、第１可変範囲内にて押しのけ容積ＤＰが調節可能であり、前記回転シャフトに入力される機械的エネルギーによって駆動される可変容量型の油圧ポンプと、第２可変範囲内にて押しのけ容積ＤＭが調節可能であり、前記油圧ポンプからの圧油によって駆動される可変容量型の油圧モータと、前記油圧ポンプの吐出口と前記油圧モータの吸入口との間に設けられる高圧油ラインと、前記油圧モータの吐出口と前記油圧ポンプの吸入口との間に設けられる低圧油ラインと、前記高圧油ラインと前記低圧油ラインとを接続するバイパスラインと、前記バイパスラインに設けられるバイパス弁と、を備える再生エネルギー型発電装置の運転方法であって、
前記第１可変範囲は、前記油圧ポンプの押しのけ容積ＤＰの最小値ＤＰｍｉｎ以上であって、前記油圧ポンプの押しのけ容積ＤＰの最大値ＤＰｍａｘ以下の範囲であり、前記第１可変範囲の下限値であるＤＰｍｉｎはゼロより大きく、
前記第２可変範囲は、前記油圧モータの押しのけ容積ＤＭの最小値ＤＭｍｉｎ以上であって、前記油圧モータの押しのけ容積ＤＭの最大値ＤＭｍａｘ以下の範囲であり、前記第２可変範囲の下限値であるＤＭｍｉｎはゼロであり、
少なくとも、前記押しのけ容積ＤＰの最小値ＤＰｍｉｎと前記バイパス弁の全閉時における前記高圧油ラインの圧力最小値とにより定まる前記油圧ポンプの閾値トルクＴｔｈ未満の範囲において、前記油圧ポンプの回転数と前記油圧ポンプのトルクとの規定の相関関係に従って、前記油圧ポンプの回転数に応じた目標値に前記油圧ポンプのトルクを調節するために、前記高圧油ラインの前記圧油の圧力を制御するステップを備えることを特徴とする再生エネルギー型発電装置の運転方法。